(57)【特許請求の範囲】
【請求項１】
隣接する二つのかご外装面により形成される出隅部に設けられ、常時は上記かごの出隅部を形成する後退位置に配置され、要時に上記後退位置よりも上記かご外側となる前進位置に配置される遮光板と、
上記遮光板よりも上記かご内側に設けられ、常時は上記かご外側から上記遮光板に遮蔽され、要時に上記遮光板と連動しながら上記かご外側に移動して、上記かご外側から上記出隅部を形成する上記外装面の双方を照明する光源体と、
を備えたエレベーターかごの外装照明装置。
【請求項２】
光源体に対面して配置された着色フィルター
を備えたことを特徴とする請求項１記載のエレベーターかごの外装照明装置。
【請求項３】
光源体は、かごの外装に設けられた被照明体を照明するブラックライト光源体からなることを特徴とする請求項１記載のエレベーターかごの外装照明装置。
【請求項４】
光源体は、互いに対向して配置されたブラックライト光源体及び通常光源体からなり、
両者の中間位置を回動軸線として回動させる回動手段により上記両者が回動することを特徴とする請求項１記載のエレベーターかごの外装照明装置。
【発明の詳細な説明】
【０００１】
【発明の属する技術分野】
この発明は、展望用エレベーター等であって透視可能に構築された昇降路を昇降するエレベーターかごの外装照明装置に関する。
【０００２】
【従来の技術】
図１５は、例えば実開平７−９８７４号公報に示された構成に類似した従来のエレベーターかごの外装照明装置を示す図で、展望用エレベーターのかごの斜視図である。図において、１は透視可能に構築された昇降路、２は昇降路１に立設された案内レールである。
【０００３】
３はかごで、かご枠４の両側に設けられた案内具５が案内レール２に係合し、案内レール２に案内されて昇降路１を昇降する。６はかご３の外装７に設けられた展望窓、８は外装７に設けられて多数が直線上に適宜な間隔で配置された照明器具、９はかご３の出入口に設けられたかごの戸で、上部が桁１０を介し、また下部が敷居１１を介して案内されて開閉動作する。
【０００４】
従来のエレベーターかごの外装照明装置は上記のように構成され、かご３の外装７に多数の照明器具８が設けられて電飾による装飾作用を得るようになっている。
【０００５】
【発明が解決しようとする課題】
上記のような従来のエレベーターかごの外装照明装置では、かご３の外装７に設けられた照明器具８による装飾は変化不能であって、変化する照明であって装飾の多様化要請に対応できないという問題点があった。
【０００６】
この発明は、かかる問題点を解消するためになされたものであり、かごの外装における装飾態様が変化するエレベーターかごの外装照明装置を得ることを目的とする。
【０００７】
【課題を解決するための手段】
この発明に係るエレベーターかごの外装照明装置においては、隣接する二つのかご外装面により形成される出隅部に設けられ、常時は上記かごの出隅部を形成する後退位置に配置され、要時に上記後退位置よりも上記かご外側となる前進位置に配置される遮光板と、上記遮光板よりも上記かご内側に設けられ、常時は上記かご外側から上記遮光板に遮蔽され、要時に上記遮光板と連動しながら上記かご外側に移動して、上記かご外側から上記出隅部を形成する上記外装面の双方を照明する光源体が設けられる。
【０００８】
また、この発明に係るエレベーターかごの外装照明装置においては、光源体に対面して配置された着色フィルターが設けられる。
【０００９】
また、この発明に係るエレベーターかごの外装照明装置においては、かごの外装に設けられた被照明体を照明するブラックライト光源体からなる光源体が設けられる。
【００１０】
また、この発明に係るエレベーターかごの外装照明装置においては、互いに対向して配置されたブラックライト光源体及び通常光源体からなり、両者の中間位置を回動軸線として回動させる回動手段により上記両者が回動する光源体が設けられる。
【００１３】
【発明の実施の形態】
実施の形態１．
図１〜図３は、この発明の実施の形態の一例を示す図で、図１は展望用エレベーターのかごの斜視図、図２は図１の横断平面図、図３は図２の照明装置の前進状態を示す図２の要部相当図である。なお、図１〜図３の他は展望用エレベーターが前述の図１５と同様に構築されている。図において、２は案内レールで、透視可能に構築された昇降路１に立設されている。
【００１４】
３はかごで、かご枠４の両側に設けられた案内具５が案内レール２に係合し、案内レール２に案内されて昇降路１を昇降する。６はかご３の外装７に設けられた展望窓、９はかご３の出入口に設けられたかごの戸で、上部が桁１０を介し、また下部が敷居１１を介して案内されて開閉動作する。１２はかご３内に設けられたかご操作盤である。
【００１５】
１３は第一種照明器具で、横断面Ｌ字状をなす遮光板１４及びこの遮光板１４内に設けられた光源体１５からなり、外装７の出隅部にそれぞれ設けられて図示が省略してあるが、電動駆動、電磁機構等により駆動される進退手段を介してかご３に装着されて常時は図２に示すように遮光板１４外面が外装７面に対応する後退位置に配置され、要時には図３に示すように光源体１５が外装７面を照明する前進位置に配置される。
【００１６】
１６は第二種照明器具で、横断面Ｌ字状をなす遮光板１７及びこの遮光板１７内に設けられた光源体１８からなり、外装７のかご枠４隣接部及び桁１０隣接部にそれぞれ設けられて、図示が省略してあるが電動駆動、電磁機構等により駆動される進退手段を介してかご３に装着されて常時は図２に示すように遮光板１７外面が外装７面に対応する後退位置に配置され、要時には図３に示すように光源体１８が外装７面を照明する前進位置に配置される。
【００１７】
上記のように構成されたエレベーターかごの外装照明装置において、かご３の外装７の出隅に第一種照明器具１３が設けられ、また外装７のかご枠４等との隣接部に第二種照明器具１６が設けられる。そして、昼間は第一種照明器具１３及び第二種照明器具１６の両者が図２に示すように遮光板１４、遮光板１７の外面が外装７面に対応する後退位置に配置される。
【００１８】
また、夜間は上記両者が図３に示すように遮光板１４、遮光板１７の外面が進退手段を介して外装７面から突出して前進変位し、光源体１５、光源体１８が外装７面を照明する前進位置に配置される。このような上記両者の動作によって、昼間は遮光板１４、遮光板１７の外面が外装７面に対応するので、かご３の外観に突出物がなく簡潔な造形美を得ることができる。
【００１９】
また、夜間は上記両者が前進位置に配置されて光源体１５、光源体１８によって外装７面が照明され、照明された外装７面による華やかな装飾作用を得ることができる。このように、かご３の外装７における装飾態様を変化させることができるので、装飾の多様化要請に容易に対応することができる。
【００２０】
実施の形態２．
図４は、この発明の他の実施の形態の一例を示す図で、前述の図３の要部を拡大して示す相当図である。なお、図４の他は展望用エレベーターが前述の図１５及び図１〜図３と同様に構築されている。図において、図１〜図３と同符号は相当部分を示す。
【００２１】
１９は着色フィルターで、第一種照明器具１３の遮光板１４及び第二種照明器具１６の遮光板１８内に設けられて光源体１５又は光源体１８に対面して配置され、第一種照明器具１３では光源体１５の両側にそれぞれ装備され、第二種照明器具１６では光源体１８の一側に装備されている。また、着色フィルター１９は互いに異色をなす複数枚が装備されて、図示が省略してあるが電動駆動、電磁機構等による駆動手段によって適宜な色合いのものを入替できるように装備されている。
【００２２】
上記のように構成されたエレベーターかごの外装照明装置においても、かご３に設けられてかご３の外装７から進退自在に装備された第一種照明器具１３及び第二種照明器具１６が配置される。したがって、詳細な説明を省略するが図４の実施の形態においても図１〜図３の実施の形態と同様な作用が得られる。
【００２３】
また、光源体１５又は光源体１８に対面して互いに異色をなす複数枚の着色フィルター１９が、色合いの何れかのものを入替て装着できるように装備される。このため、かご３の外装７における装飾態様を一層多様に変化させることができるので、装飾の複雑な多様化要請にも容易に対応することができる。
【００２４】
実施の形態３．
図５及び図６も、この発明の他の実施の形態の一例を示す図で、図５は前述の図３の要部を拡大して示す相当図、図６は図５の照明器具が設けられた展望用エレベーターのかごの斜視図である。なお、図５及び図６の他は展望用エレベーターが前述の図１５及び図１〜図３と同様に構築されている。図において、図１〜図３と同符号は相当部分を示す。
【００２５】
２０は第一種照明器具１３の遮光板１４及び第二種照明器具１６の遮光板１７内に設けられたブラックライト光源体、２１は外装７に設けられて前進位置に配置された第一種照明器具１３又は第二種照明器具１６のブラックライト光源体２０によって照明される絵画からなる被照明体である。
【００２６】
上記のように構成されたエレベーターかごの外装照明装置においても、かご３に設けられてかご３の外装７面に対して進退自在に装備された第一種照明器具１３及び第二種照明器具１６が配置される。したがって、詳細な説明を省略するが図５及び図６の実施の形態においても図１〜図３の実施の形態と同様な作用が得られる。
【００２７】
また、外装７に設けられた被照明体２１が前進位置に配置された第一種照明器具１３又は第二種照明器具１６のブラックライト光源体２０によって照明される。このため、ブラックライト光源体２０の照明作用による装飾態様を実現することができ、装飾の多様化要請に容易に対応することができる。
【００２８】
実施の形態４．
図７〜図９も、この発明の他の実施の形態の一例を示す図で、図７は展望用エレベーターのかごの横断平面図で前述の図２相当図、図８は図７の照明装置の前進状態を示す図７の要部相当図、図９は図８の要部拡大図である。なお、図７〜図９の他は展望用エレベーターが前述の図１５及び図１〜図３、図６と同様に構築されている。図において、図１〜図３、図５及び図６と同符号は相当部分を示す。
【００２９】
２２は第一種照明器具１３の遮光板１４及び第二種照明器具１６の遮光板１７内に設けられて通常光線を発する通常光源体、２３は互いに空隙を形成して平行に配置されたブラックライト光源体２０と通常光源体２２の両者を支持する支持金具、２４は支持金具２３における上記両者間の中心に固定された回動軸で、図示が省略してあるが電動駆動、電磁機構等によって駆動される回動手段を介してかご３に装着されている。
【００３０】
上記のように構成されたエレベーターかごの外装照明装置においても、かご３に設けられてかご３の外装７面に対して進退自在に装備された第一種照明器具１３及び第二種照明器具１６が配置される。したがって、詳細な説明を省略するが図７〜図９の実施の形態においても図１〜図３の実施の形態と同様な作用が得られる。
【００３１】
また、回動軸２４を回動することによって通常光源体２２とブラックライト光源体２０を入れ換えてかご３の外装７面を照明することができる。これによって、通常光源体２２によって外装７面を照明する作用及びブラックライト光源体２０によって外装７に設けられた被照明体２１を照明する作用を得ることができる。したがって、前述の図１〜図３の実施の形態又は前述の図５及び図６の実施の形態による作用の両方を得ることができる。このため、装飾の複雑な多様化要請にも容易に対応することができる。
【００３２】
実施の形態５．
図１０も、この発明の他の実施の形態の一例を示す図で、前述の図９相当図である。なお、図１０の他は展望用エレベーターが前述の図１５及び図１〜図３、図６と同様に構築されている。図において、図１〜図３、図５、図６、図７〜図９と同符号は相当部分を示す。
【００３３】
図１０の実施の形態は、前述の図７〜図９における実施の形態に前述の図４の実施の形態の着色フィルター１９を装備したものである。したがって、詳細な説明を省略するが図１０の実施の形態において、図４の実施の形態及び図７〜図９の実施の形態において得られる作用と同様な作用を得ることができる。
【００３４】
実施の形態６．
図１１も、この発明の他の実施の形態の一例を示す図で、前述の図１相当図である。なお、図１１の他は展望用エレベーターが前述の図１５及び図１〜図３と同様に構築されている。図において、図１〜図３と同符号は相当部分を示し、２５はかご３の外装７を覆うように設けられたテレビジョン放送等の薄形モニター、２６は薄形モニター２５に映し出された映像である。
【００３５】
上記のように構成されたエレベーターかごの外装照明装置において、かご３の外面に設けられた薄形モニター２５に映像２６が映し出される。これによって、かご３の外装７における装飾態様を変化させることができるので、装飾の多様化要請に容易に対応することができる。
【００３６】
実施の形態７．
図１２〜図１４も、この発明の他の実施の形態の一例を示す図で、図１２は前述の図１相当図、図１３は図１２の要部横断平面図、図１４は図１３の要部拡大図である。なお、図１２〜図１４の他は展望用エレベーターが前述の図１５及び図１〜図３と同様に構築されている。図において、図１〜図３と同符号は相当部分を示す。
【００３７】
２７は透明合成樹脂板等からなる透光板で、かご３の外装７を覆うように設けられている。２８は透光板２７に裏面から彫り込まれた第一種模様、２９は透光板２７に裏面から彫り込まれた第二種模様、１８は光源体で、かご枠４隣接部にかご枠４の長手に沿って設けられた遮光板３０内に装備され、透光板２７の端面に対向して配置されている。
【００３８】
上記のように構成されたエレベーターかごの外装照明装置において、かご３の外面に設けられた透光板２７の端面が、遮光板３０内に装備された光源体１８によって照明される。これによって、透光板２７の第一種模様２８、第二種模様２９が浮き上がるので、かご３の外装７における装飾態様を変化させることができ、装飾の多様化要請に容易に対応することができる。
【００３９】
【発明の効果】
この発明は以上説明したように、隣接する二つのかご外装面により形成される出隅部に設けられ、常時は上記かごの出隅部を形成する後退位置に配置され、要時に上記後退位置よりも上記かご外側となる前進位置に配置される遮光板と、上記遮光板よりも上記かご内側に設けられ、常時は上記かご外側から上記遮光板に遮蔽され、要時に上記遮光板と連動しながら上記かご外側に移動して、上記かご外側から上記出隅部を形成する上記外装面の双方を照明する光源体を設けたものである。
【００４０】
これによって、例えば昼間は照明器具の遮光板外面がかごの外装面に対応する後退位置に配置され、また夜間は遮光板外面が進退手段を介して外装面から突出し光源体が外装面を照明する前進位置に配置される。このため、昼間は遮光板の外面が外装面に対応して簡潔な造形美を得ることができ、夜間は光源体によって外装面が照明されることによる装飾作用を得ることができる。したがって、かごの外装における装飾態様を変化させることができ、装飾の多様化要請に対する対応を容易化する効果がある。
【００４１】
また、この発明は以上説明したように、光源体に対面して配置された着色フィルターを設けたものである。
【００４２】
これによって、照明器具の光源体に対面して着色フィルターが設けられて、例えば昼間は照明器具の遮光板外面がかごの外装面に対応する後退位置に配置され、また夜間は遮光板外面が進退手段を介して外装面から突出し光源体が外装面を照明する前進位置に配置される。このため、昼間は遮光板の外面が外装面に対応して簡潔な造形美を得ることができ、夜間は光源体によって外装面が照明されることによる装飾作用を得ることができる。したがって、かごの外装における装飾態様を変化させることができ、装飾の多様化要請に対する対応を容易化する効果がある。
【００４３】
また、この発明は以上説明したように、かごの外装に設けられた被照明体を照明するブラックライト光源体からなる光源体を設けたものである。
【００４４】
これによって、照明器具にかごの外装に設けられた被照明体を照明するブラックライト光源体が装備されて、例えば昼間は照明器具の遮光板外面がかごの外装面に対応する後退位置に配置され、また夜間は遮光板外面が進退手段を介して外装面から突出し光源体が外装面を照明する前進位置に配置される。このため、昼間は遮光板の外面が外装面に対応して簡潔な造形美を得ることができ、夜間はブラックライト光源体によって外装面の被照明体が照明されることによる装飾作用を得ることができる。したがって、かごの外装における装飾態様を変化させることができ、装飾の多様化要請に対する対応を容易化する効果がある。
【００４５】
また、この発明は以上説明したように、互いに対向して配置されたブラックライト光源体及び通常光源体からなり、両者の中間位置を回動軸線として回動させる回動手段により上記両者が回動する光源体を設けたものである。
【００４６】
これによって、照明器具に、通常光源体及びかごの外装に設けられた被照明体を照明するブラックライト光源体の両者からなり上記両者が回動する光源体が装備されて、例えば昼間は照明器具の遮光板外面がかごの外装面に対応する後退位置に配置され、また夜間は遮光板外面が進退手段を介して外装面から突出し光源体が外装面を照明する前進位置に配置される。このため、昼間は遮光板の外面が外装面に対応して簡潔な造形美を得ることができ、夜間はブラックライト光源体又は通常光源体によって外装面又は外装面の被照明体が照明されることによる装飾作用を得ることができる。したがって、かごの外装における装飾態様を変化させることができ、装飾の多様化要請に対する対応を容易化する効果がある。
【図面の簡単な説明】
【図１】  この発明の実施の形態１を示す図で、展望用エレベーターのかごの斜視図。
【図２】  図１の横断平面図。
【図３】  図２の照明装置の前進状態を示す図２の要部相当図。
【図４】  この発明の実施の形態２を示す図で、前述の図３の要部を拡大して示す相当図。
【図５】  この発明の実施の形態３を示す図で、前述の図３の要部を拡大して示す相当図。
【図６】  図５に示す照明器具が設けられた展望用エレベーターのかごの斜視図。
【図７】  この発明の実施の形態４を示す図で、展望用エレベーターのかごの横断平面図であり前述の図２相当図。
【図８】  図７の照明装置の前進状態を示す図７の要部相当図。
【図９】  図８の要部拡大図。
【図１０】  この発明の実施の形態５を示す図で、前述の図９相当図。
【図１１】  この発明の実施の形態６を示す図で、前述の図１相当図。
【図１２】  この発明の実施の形態７を示す図で、前述の図１相当図。
【図１３】  図１２の要部横断平面図。
【図１４】  図１３の要部拡大図。
【図１５】  従来のエレベーターかごの外装照明装置を示す図で、展望用エレベーターのかごの斜視図。
【符号の説明】
３  かご、    ７  外装、    １３  第一種照明器具、    １４  遮光板、  １５  光源体、    １６  第二種照明器具、    １７  遮光板、    １８  光源体、    １９  着色フィルター、    ２０  ブラックライト光源体、    ２１被照明体、    ２２  通常光源体、    ２５  薄形モニター、    ２６  映像、    ２７  透光板、    ２８  第一種模様、    ２９  第二種模様、    ３０遮光板。
【図１】
0004132857.tif 000002
【図２】
0004132857.tif 000003
【図３】
0004132857.tif 000004
【図４】
0004132857.tif 000005
【図５】
0004132857.tif 000006
【図６】
0004132857.tif 000007
【図７】
0004132857.tif 000008
【図８】
0004132857.tif 000009
【図９】
0004132857.tif 000010
【図１０】
0004132857.tif 000011
【図１１】
0004132857.tif 000012
【図１２】
0004132857.tif 000013
【図１３】
0004132857.tif 000014
【図１４】
0004132857.tif 000015
【図１５】
0004132857.tif 000016